(57)【要約】【課題】小流量の大気放出であっても空気の混入を抑制することが可能な空気混入防止装置及びガス処理システムを提供することを目的とする。【解決手段】空気混入防止装置６は、下方に設けられたガス流入口６２から流入した空気より比重の重い炭酸ガスが、流入上昇経路Ｒ１を通って上方に移動した後、折り返されて下降経路Ｒ２に入り、当該下降経路Ｒ２を通って下方に移動して、下方から流出上昇経路Ｒ３を通って上方に移動してガス流出口６３から流出する。【選択図】図２
2016185494.tif 000002
【特許請求の範囲】
【請求項１】
空気より比重の重いガスを大気中に放出するガス放出装置に備えられ、下方に設けられるとともに前記ガスが流入するガス流入口と、流入した前記ガスが流通するガス流通経路と、上方に設けられるとともに前記ガスが流出するガス流出口と、からなる空気混入防止装置であって、
前記ガス流通経路が、前記ガス流入口から流入した前記ガスを上方に導く流入上昇経路と、該流入上昇経路から折り返して前記ガスを下方に導く下降経路と、前記ガスを上方に導き前記ガス流出口から流出させる流出上昇経路と、を含むことを特徴とする空気混入防止装置。
【請求項２】
前記下降経路と前記流出上昇経路との間に、前記下降経路から下方に導かれた前記ガスを溜めるガス溜り部が設けられたことを特徴とする請求項１に記載の空気混入防止装置。
【請求項３】
空気より比重の重いガスを発生するガス発生部と、
前記ガス発生部で発生したガスの一部を処理するガス処理部と、
前記ガス発生部で発生したガスの一部を前記ガス処理部に送るための圧縮機と、
前記ガス処理部で処理される以外のガスの一部を大気中に放出するガス放出装置と、を備えるガス処理システムであって、
前記ガス放出装置が、請求項１又は２に記載の空気混入防止装置を備えることを特徴とするガス処理システム。
【請求項４】
前記ガス放出装置内のガス流量を測定するガス流量計と、
前記ガス流量計の測定値に基づいて前記ガス発生部から前記ガス処理部に送る前記ガスの量を調整する調整部と、を備えることを特徴とする請求項３に記載のガス処理システム。
【発明の詳細な説明】
【技術分野】
【０００１】
本発明は、空気混入防止装置及びガス処理システムに関する。
【背景技術】
【０００２】
従来、製油所において使用される水素製造装置から副生する炭酸ガスは、その多くが炭酸ガス放出スタックから放出され、一部が液化炭酸ガスやドライアイスとして回収されていた（特許文献１）。
【０００３】
しかし、近年の製油所減産に伴い、発生する炭酸ガスの量も減少し、液化炭酸ガスやドライアイスの製造に用いる炭酸ガスの慢性的な原料不足が生じている。そのため、現状では炭酸ガス放出スタックから放出する炭酸ガスの量を減少させ、液化炭酸ガスやドライアイスとして回収する量を増加させる必要が生じた。
【先行技術文献】
【特許文献】
【０００４】
【特許文献１】特開２００７−１６１５４５号公報
【発明の概要】
【発明が解決しようとする課題】
【０００５】
しかしながら、炭酸ガス放出スタックから大気放出される炭酸ガスの放出量を下げると、炭酸ガス放出スタックから空気が逆流して、炭酸ガスを処理する液化炭酸ガスプラントなどに酸素が混入し、不純物濃度増大により液化炭酸ガスプラントの操業に影響を与える懸念があった。これを避けるため炭酸ガス放出スタックの放出流路に流量調整弁や逆止弁を設けることも考えられるが、流路閉塞により上流設備の圧力が設計圧力以上になるおそれがあり、安全弁を設けるなどの追加対策が必要になってしまう。
【０００６】
本発明は、小流量の大気放出であっても空気の混入を抑制することが可能な空気混入防止装置及びガス処理システムを提供することを目的とする。
【課題を解決するための手段】
【０００７】
上記目的は、以下の本発明によって解決される。
即ち、請求項１記載の本発明は、空気より比重の重いガスを大気中に放出するガス放出装置に備えられ、下方に設けられるとともに前記ガスが流入するガス流入口と、流入した前記ガスが流通するガス流通経路と、上方に設けられるとともに前記ガスが流出するガス流出口と、からなる空気混入防止装置であって、
前記ガス流通経路が、前記ガス流入口から流入した前記ガスを上方に導く流入上昇経路と、該流入上昇経路から折り返して前記ガスを下方に導く下降経路と、前記ガスを上方に導き前記ガス流出口から流出させる流出上昇経路と、を含むことを特徴とする空気混入防止装置である。
【０００８】
請求項２記載の発明は、請求項１記載の本発明において、前記下降経路と前記流出上昇経路との間に、前記下降経路から下方に導かれた前記ガスを溜めるガス溜り部が設けられたことを特徴とする。
【０００９】
請求項３記載の本発明は、空気より比重の重いガスを発生するガス発生部と、
前記ガス発生部で発生したガスの一部を処理するガス処理部と、
前記ガス発生部で発生したガスの一部を前記ガス処理部に送るための圧縮機と、
前記ガス処理部で処理される以外のガスの一部を大気中に放出するガス放出装置と、を備えるガス処理システムであって、
前記ガス放出装置が、請求項１又は２に記載の空気混入防止装置を備えることを特徴とするガス処理システムである。
【００１０】
請求項４記載の本発明は、請求項３に記載の本発明において、前記ガス放出装置内のガス流量を測定するガス流量計と、
前記ガス流量計の測定値に基づいて前記ガス発生部から前記ガス処理部に送る前記ガスの量を調整する調整部と、を備えることを特徴とする。
【発明の効果】
【００１１】
請求項１に記載の本発明によれば、下方から流入した空気より比重の重いガスが流入上昇経路により上方に導かれ、下降経路により流入上昇経路から折り返されて下方に導かれ、流出上昇経路により上方に導かれて、上方に設けられたガス流出口から放出される。このような構成により、比重の重いガスが下降経路と流出上昇経路との間に溜まり、ガス流通経路をガスでシールすることができる。したがって、ガス流出口の下流（上方）から空気が逆流してきた場合でも、ガス流通経路がガスでシールされているため、空気混入防止装置より上流（下方）に空気が混入することを抑制することができる。
【００１２】
請求項２に記載の本発明によれば、下降経路と流出上昇経路との間に、下降経路から下方に導かれたガスを溜めるガス溜り部が設けられている。このような構成により、比重の重いガスを下降経路と流出上昇経路との間により多く溜めることができ、シール効果を高めることができる。したがって、空気混入防止装置より上流（下方）に空気が混入することをより抑制することができる。
【００１３】
請求項３に記載の本発明によれば、ガス処理システムが請求項１又は２に記載の空気混入防止装置を備えている。したがって、空気混入防止装置より上流に位置するガス発生部やガス処理部などの他の設備に空気が混入することを抑制することができる。
【００１４】
請求項４に記載の本発明によれば、ガス放出装置内のガス流量計の測定値に基づいて、ガス発生部からガス処理部に送るガスの量を調整することができる。このような構成により、ガス放出装置におけるガス流量が少なくなった場合には、ガス発生部からガス処理部に送るガスの量を減らし、ガス放出装置に送るガスの量を多くすることにより、空気混入防止装置より上流（下方）への空気の逆流を防いで、空気の混入を抑制することができる。
【図面の簡単な説明】
【００１５】
【図１】本発明の一実施形態に係るガス処理システムを示した概略図である。
【図２】図１に示すガス処理システムが備える空気混入防止装置の断面図である。
【発明を実施するための形態】
【００１６】
以下、本発明の一実施形態に係る空気混入防止装置及びガス処理システムについて、図１及び図２を用いて説明する。図１は、ガス処理システム１を示した概略図である。図２は、図１に示すガス処理システム１が備える空気混入防止装置６を示したものである。なお、図２に記載された矢印は、ガス流通経路Ｒを示したものである。
【００１７】
図１に示すように、ガス処理システム１は、ガス発生部としての脱炭酸設備２と、ガス処理部としての液化炭酸ガスプラント３と、脱炭酸設備２で発生したガスの一部を液化炭酸ガスプラント３に送るための圧縮機４と、ガス放出装置５と、後述するガス流量計５２の測定値に基づいて脱炭酸設備２から液化炭酸ガスプラント３に送る炭酸ガスの量を調整する調整部７と、調整部７により調整される流量調整弁８と、を備えている。
【００１８】
脱炭酸設備２は、空気より比重の重いガスである炭酸ガス（ＣＯ2）を発生する設備である。本実施形態においては、空気より比重の重いガスとして炭酸ガスを例に挙げて説明する。脱炭酸設備２は、例えば、製油所において使用される水素の精製工程において用いられる。
【００１９】
脱炭酸設備２で発生した炭酸ガスは、その一部がガス送給管Ｌ１により圧縮機４へ送給され、圧縮機４からガス送給管Ｌ２により液化炭酸ガスプラント３へ送給される。また、脱炭酸設備２で発生した炭酸ガスの他の一部は、ガス送給管Ｌ３によりガス放出装置５へ送給される。ガス放出装置５内において、炭酸ガスは空気混入防止装置６へ送給され、ガス送給管Ｌ４により炭酸ガス放出スタック５１へ送給される。
【００２０】
液化炭酸ガスプラント３は、脱炭酸設備２から送給された炭酸ガスを液化炭酸ガスへと変換する設備である。液化炭酸ガスプラント３は、圧縮機４により脱炭酸設備２から送られてきた炭酸ガスを高圧圧縮機で圧縮して精製し、十分に水分を除去して液化する。
【００２１】
圧縮機４は、気体を圧縮して圧力を高め、連続的に送り出す装置である。
【００２２】
ガス放出装置５は、炭酸ガス放出スタック５１と、脱炭酸設備２の下流であって炭酸ガス放出スタック５１の上流に設けられた空気混入防止装置６と、空気混入防止装置６の下流であって炭酸ガス放出スタック５１の上流に設けられたガス流量計５２と、を備えている。なお、ガス放出装置５を構成する、炭酸ガス放出スタック５１及び空気混入防止装置６の内部圧力は、大気圧とほぼ等しくなっている。
【００２３】
炭酸ガス放出スタック５１は、空気混入防止装置６を経由して送給された炭酸ガスを大気中に放出するための垂直に立てられた配管である。
【００２４】
空気混入防止装置６は、上流の脱炭酸設備２から送給された炭酸ガスを、下流の炭酸ガス放出スタック５１に送給する一方、炭酸ガス放出スタック５１から逆流した空気が、上流に設けられた脱炭酸設備２や液化炭酸ガスプラント３へ混入することを抑制する機能を有する。図２に示すように、空気混入防止装置６は、容器６１と、容器６１の下方に設けられたガス流入口６２と、容器６１においてガス流入口６２の上方に設けられて炭酸ガスを容器６１内から流出させるガス流出口６３と、容器６１内において、ガス流入口６２とガス流出口６３との間に設けられたガス流通経路Ｒと、を備えている。
【００２５】
容器６１は、炭酸ガスが流通するガス流通経路Ｒを内部に設け、縦長に形成された容器である。容器６１は、長さ方向中央部が円筒状で、長さ方向両端部がその先端に向かうにしたがって開口が窄まるように形成されている。容器６１の下方側の窄まった開口はガス流入口６２を形成しており、当該ガス流入口６２には、上流（下方）に続く筒状の管であるガス送給管Ｌ３が接続されている。また、容器６１の上方側の窄まった開口はガス流出口６３を形成しており、当該ガス流出口６３には、下流（上方）に続く筒状の管であるガス送給管Ｌ４が接続されている。ガス送給管Ｌ４は、ガス流出口６３から流出した容器６１内の炭酸ガスを下流（上方）に送給し、炭酸ガス放出スタック５１へ送給する。
【００２６】
ガス流出口６３には、ガス流出口６３から略垂直方向下方に延びて形成された略筒状のガス送給管Ｌ６が接続されている。ガス送給管Ｌ６とガス送給管Ｌ４とはガス流出口６３を経由して一体に形成されている。ガス送給管Ｌ６のガス流出口６３とは反対側の先端部には開口６５が形成されている。なお、「先端部」とは、先端を含む先端に近い一定の範囲をいう。開口６５の下方には、後述する底部６４ａが配されるように有底円筒状のガス受け部６４が設けられている。
【００２７】
ガス受け部６４は、容器６１内の略中央部に配され、水平方向と平行な板状部材である底部６４ａと、底部６４ａの縁に沿って底部６４ａから上方に立設した側壁６４ｂと、を備えている。底部６４ａは、開口６５の下方に隙間を空けて配されている。側壁６４ｂは、開口６５よりも上方まで延びて設けられている。ガス受け部６４は、後述する下降経路Ｒ２から下方に移動してきた炭酸ガスを底部６４ａに溜めて、下降経路Ｒ２から後述する流出上昇経路Ｒ３へと続く、開口６５を含む折り返し経路近傍に炭酸ガスを溜めることができる。これにより、下降経路Ｒ２と流出上昇経路Ｒ３との間に炭酸ガスを溜めるガス溜り部を設けることができる。なお、ガス溜り部とは、ガス受け部６４において、底部６４ａから開口６５よりもやや上方の位置までを指す。
【００２８】
容器６１内におけるガス流通経路Ｒは、ガス流入口６２から流入した炭酸ガスを上方に導く流入上昇経路Ｒ１と、該流入上昇経路Ｒ１から折り返して炭酸ガスを下方に導く下降経路Ｒ２と、炭酸ガスを上方に導きガス流出口６３から流出させる流出上昇経路Ｒ３と、を含んで構成されている。容器６１内において、流入上昇経路Ｒ１は、容器６１の内周面とガス受け部６４の側壁６４ｂの外周面との間で構成されている。また、容器６１内において、下降経路Ｒ２は、ガス送給管Ｌ４の外周面とガス受け部６４の側壁６４ｂの内周面との間で構成されている。また、容器６１内において、流出上昇経路Ｒ３は、ガス送給管Ｌ６により構成されている。流入上昇経路Ｒ１と、下降経路Ｒ２と、流出上昇経路Ｒ３と、は容器６１内において、同心状に形成されている。
【００２９】
ガス流量計５２は、ガス送給管Ｌ４に設けられており、空気混入防止装置６から炭酸ガス放出スタック５１へ送給される炭酸ガスの流量を測定する。ガス流量計５２は、測定値に基づく信号を調整部７へ送信する。
【００３０】
調整部７は、ガス流量計５２の測定値に基づいて流量調整弁８を調整することにより、脱炭酸設備２から液化炭酸ガスプラント３に送る炭酸ガスの量を調整する。流量調整弁８は、ガス送給管Ｌ１とガス送給管Ｌ２とを接続する流量調整管Ｌ５に設けられ、圧縮機４と並列に設けられている。流量調整弁８は、調整部７からの制御信号に基づき、開度を調整する。流量調整弁８が開かれると圧縮機４による液化炭酸ガスプラント３への流量が下がる。一方、流量調整弁８が閉じられると圧縮機４により液化炭酸ガスプラント３への流量があがる。
【００３１】
調整部７は、ガス流量計５２から測定値に基づく信号を受信すると、それに基づく制御信号を流量調整弁８へ送信する。例えば、調整部７は、ガス流量計５２の測定値に基づき、空気混入防止装置６から炭酸ガス放出スタック５１へ送給される炭酸ガスの流量が少ないと判断した場合には、炭酸ガス放出スタック５１からの空気の逆流を生じるおそれがあるため、流量調整弁８を開くように調整し、ガス放出装置５に送給する炭酸ガスの流量を増加させる。一方、空気混入防止装置６から炭酸ガス放出スタック５１へ送給される炭酸ガスの流量が多いと判断した場合には、液化炭酸ガスプラント３への流量を増やすべく、流量調整弁８を閉じるように調整する。
【００３２】
次に、本実施形態に係る空気混入防止装置６の空気混入防止作用及びガス処理システム１におけるガス処理作用を説明する。
【００３３】
脱炭酸設備２で発生した炭酸ガスは、その一部が圧縮機４により液化炭酸ガスプラント３へと送給される。また、脱炭酸設備２で発生した炭酸ガスの他の一部は、ガス放出装置５へと送給される。ガス放出装置５へと送給された炭酸ガスは、ガス送給管Ｌ３からガス流入口６２を経由して、空気混入防止装置６の容器６１内へと送給される。図２に示すように、炭酸ガスは容器６１の下方に設けられたガス流入口６２から流入し、下方から上方へとさらに流入してくる炭酸ガスに押し上げられて、容器６１の内周面とガス受け部６４の側壁６４ｂの外周面との間（流入上昇経路Ｒ１）を通り上方に移動していく。上方に移動した炭酸ガスは、容器６１内の上方の内面に沿って、容器６１の幅方向内側（ガス送給管Ｌ６側）に向かって移動し、側壁６４ｂの上方を通って側壁６４ｂを乗り越える。炭酸ガスは、側壁６４ｂを乗り越えることで流入上昇経路Ｒ１から折り返される。
【００３４】
流入上昇経路Ｒ１から折り返された炭酸ガスは、ガス送給管Ｌ６の外周面とガス受け部６４の側壁６４ｂの内周面との間（下降経路Ｒ２）に導かれる。容器６１内の圧力は大気圧とほぼ等しいため、空気より比重の重い炭酸ガスは、上方から下降経路Ｒ２を通って下方に移動する。下方に移動してきた炭酸ガスは、ガス受け部６４の底部６４ａ上（ガス溜り部）に溜り、底部６４ａと開口６５との間の隙間は炭酸ガスで塞がれる。この時、下降経路Ｒ２の下方側と流出上昇経路Ｒ３の下方側とが炭酸ガスで充填されている。これにより、ガス流通経路Ｒが炭酸ガスでシールされる。
【００３５】
底部６４ａ上に溜まった炭酸ガスは、下方から上方へと容器６１内に次々と流入してくる炭酸ガスに押し上げられて、ガス送給管Ｌ６を通って（流出上昇経路Ｒ３）上方に移動していき、ガス流出口６３を経由して容器６１から流出し、ガス送給管Ｌ４内を下流（上方）に移動していく。炭酸ガスは、ガス送給管Ｌ４により炭酸ガス放出スタック５１へ送給され、炭酸ガス放出スタック５１から大気中へ放出される。
【００３６】
ガス送給管Ｌ４内の炭酸ガスの流量はガス流量計５２により測定され、ガス流量計５２は、測定値に基づく信号を調整部７へ送信する。ガス送給管Ｌ４内の炭酸ガス流量が少ない場合には、調整部７は、流量調整弁８を開く制御信号を流量調整弁８へ送信し、脱炭酸設備２から液化炭酸ガスプラント３への流量を減らすことによりガス放出装置５への炭酸ガスの流量を増やす。一方、ガス送給管Ｌ４内の炭酸ガス流量が多い場合には、調整部７は、流量調整弁８を閉じる制御信号を流量調整弁８へ送信し、脱炭酸設備２から液化炭酸ガスプラント３への流量を増やす。
【００３７】
本実施形態に係る空気混入防止装置６は、下方に設けられたガス流入口６２から流入した空気より比重の重い炭酸ガスが、流入上昇経路Ｒ１を通って上方に移動した後、折り返されて下降経路Ｒ２に入り、当該下降経路Ｒ２を通って下方に移動して、下方から流出上昇経路Ｒ３を通って上方に移動してガス流出口６３から流出する。このような構成により、空気より比重の重い炭酸ガスは、下降経路Ｒ２の下方側と流出上昇経路Ｒ３の下方側に溜まり、ガス流通経路Ｒを炭酸ガスで塞いでシールする。したがって、本実施形態に係る空気混入防止装置６は、空気混入防止装置６より上流（下方）に空気が混入することを抑制することができる。
【００３８】
また、本実施形態に係る空気混入防止装置６は、ガス放出装置５に調整弁や逆止弁を設けることなく、大気中に放出する炭酸ガスを上流から流すことのみで空気の逆流を防ぐことができる。そのため、ガス放出装置５の流路閉塞による、脱炭酸設備２や液化炭酸ガスプラント３などの上流設備の圧力が設計圧力以上になるリスクが生じにくい。また、上流設備の圧力が設計以上になるリスクが生じにくいことから、空気混入防止装置６より上流（下方）に配された上流設備保護のための安全弁などの設置が不要となり、設備を単純化することができる。
【００３９】
また、本実施形態に係る空気混入防止装置６は、ガス受け部６４により、下降経路Ｒ２と流出上昇経路Ｒ３との間にガス溜り部を設けることができる。このような構成により、下降経路Ｒ２と流出上昇経路Ｒ３との間により多く炭酸ガスを溜めることができ、シール効果を高めることができる。したがって、空気混入防止装置６より上流（下方）に空気が混入することをより確実に抑制することができる。
【００４０】
また、本実施形態に係る空気混入防止装置６は、ガス受け部６４の底部６４ａが、ガス流入口６２の下方に隙間を空けて配され、ガス受け部６４の側壁６４ｂが、ガス流出口６３よりも上方まで延びて設けられている。このような構成により、ガス受け部６４に多くの炭酸ガスを溜めることができ、シール効果を高めることができる。したがって、空気混入防止装置６より上流（下方）に空気が混入することをより確実に抑制することができる。
【００４１】
また、本実施形態に係るガス処理システム１は、空気混入防止装置６を備えている。このような構成により、空気混入防止装置６より上流（下方）に配された脱炭酸設備２や液化炭酸ガスプラント３などの上流設備に空気が混入することを抑制することができる。
【００４２】
また、本実施形態に係るガス処理システム１は、ガス送給管Ｌ４内の炭酸ガスの流量を測定するガス流量計５２と、ガス流量計５２の測定値に基づいて脱炭酸設備２から液化炭酸ガスプラント３に送給する炭酸ガスの量を調整する調整部７と、を備えている。このような構成により、ガス送給管Ｌ４内の炭酸ガス流量が少ない場合には、調整部７は、脱炭酸設備２から液化炭酸ガスプラント３への流量を減らすことによりガス放出装置５への流量を増やすことができる。したがって、適切にガス放出装置５への流量を上げて、空気の逆流を抑制し、空気混入防止装置６より上流（下方）に配された脱炭酸設備２や液化炭酸ガスプラント３などの上流設備に空気が混入することを抑制することができる。
【００４３】
一方、ガス送給管Ｌ４内の炭酸ガス流量が多い場合には、調整部７は、脱炭酸設備２から液化炭酸ガスプラント３への流量を増やすことができる。したがって、ガス放出装置５から大気放出される炭酸ガスの量を最小限とし、液化炭酸ガスプラント３へ送給する炭酸ガスの量を最大化することができる。
【００４４】
なお、前述した実施形態は本発明の代表的な形態を示したに過ぎず、本発明は、当該実施形態に限定されるものではない。即ち、当業者は、従来公知の知見に従い、本発明の骨子を逸脱しない範囲で種々変形して実施することができる。かかる変形によってもなお本発明の空気混入防止装置６及びガス処理システム１の構成を具備する限り、勿論、本発明の範疇に含まれるものである。
【００４５】
例えば、上記実施形態においては、空気より比重の重いガスとして炭酸ガスを例に挙げて説明したが、空気より比重の重いガスであればよく、これに限定されることはない。例えば、空気より比重の重いガスとしては、ブタンガス、プロパンガスなどが挙げられる。また、上記実施形態においては、ガス発生部を脱炭酸設備２として説明したが、上記のような空気より比重の重いガスを発生する設備であればこれに限定されることはない。
【００４６】
また、上記実施形態においては、ガス処理部を液化炭酸ガスプラント３とし、炭酸ガスを液化炭酸ガスに変換すると説明したが、空気より比重の重いガスを処理するガス処理部であれば、これに限定されることはない。また、液化炭酸ガスプラント３において、炭酸ガスから変換された液化炭酸ガスを用いてドライアイスを製造してもよい。
【００４７】
また、上記実施形態においてガス流通経路Ｒは容器６１内に設けられる構成としたが、下方に設けられたガス流入口６２から流入した炭酸ガスを上方に導く流入上昇経路Ｒ１と、流入上昇経路Ｒ１から折り返された炭酸ガスを下方に導く下降経路Ｒ２と、炭酸ガスを上方に導き炭酸ガスをガス流出口６３から流出させる流出上昇経路Ｒ３と、を含んで構成されていれば特に限定されることはない。例えば、容器６１を用いず、略筒状の管を用いて、流入上昇経路Ｒ１と、下降経路Ｒ２と、流出上昇経路Ｒ３と、を連続して形成し、これをガス流出経路Ｒとしてもよい。この場合であっても、炭酸ガスは空気より比重が重いため、下降経路Ｒ２から流出上昇経路Ｒ３へと続く折り返し経路近傍を塞ぎ、ガス流通経路Ｒを炭酸ガスで塞いでシールすることができる。
【００４８】
また、上記実施形態においてガス流通経路Ｒは、流入上昇経路Ｒ１と、下降経路Ｒ２と、流出上昇経路Ｒ３と、は容器６１内において同心状に形成されている構成としたが、これに限定されることはなく、同心状に形成されていなくてもよい。
【００４９】
また、上記実施形態においてガス流通経路Ｒは、下降経路Ｒ２と流出上昇経路Ｒ３との間にガス溜り部を設ける構成としたが、これに限定されることはなく、ガス溜り部を設けなくてもよく、さらに他の構成を含んでもよい。例えば、下降経路Ｒ２から折り返されて上昇経路を設けた後、再度別の下降経路を設けて炭酸ガスを下方に移動させてから流出上昇経路Ｒ３により炭酸ガスをガス流出口６３から流出させる構成としてもよい。
【００５０】
また、上記実施形態において容器６１は、長さ方向中央部が円筒状で、長さ方向両端部の先端に向かうにしたがって開口が窄まるように形成されている構成としたが、流入した炭酸ガスが流通する流通経路が設けられていればこれに限定されることはない。例えば、容器６１は、長さ方向中央部が円筒状でなくてもよく、長さ方向両端部が先端に向かうにしたがって開口が窄まるように形成されていなくてもよい。
【００５１】
また、上記実施形態において底部６４ａは、水平方向と平行な板状部材であるとして説明したが、下降経路Ｒ２と流出上昇経路Ｒ３とを流通しうる形状であれば、これに限定されることはない。例えば、底部の形状が三角錐や四角錐のように先端が尖ったような形状でもよく、半球のような形状でもよい。
【００５２】
また、上記実施形態において空気混入防止装置６は、炭酸ガス放出スタック５１とは別の構成とし、炭酸ガス放出スタック５１の上流に設けられる構成としたが、これに限定されることはない。例えば、空気混入防止装置６を炭酸ガス放出スタック５１内に設けてもよい。
【００５３】
また、上記実施形態においてガス放出装置５は、ガス流量計５２を備える構成としたが、これに限定されることはなく、ガス流量計５２を備えていなくてもよい。
【００５４】
また、上記実施形態においてガス流量計５２は、ガス送給管Ｌ４に設けられており、空気混入防止装置６から炭酸ガス放出スタック５１へ送給される炭酸ガスの流量を測定する構成としたが、これに限定されることはない。例えば、ガス流量計５２を空気混入防止装置６の上流に設けてもよく、また、炭酸ガス放出スタック５１内に設けることにより、空気混入防止装置６から炭酸ガス放出スタック５１へ送給される炭酸ガスの流量を測定してもよい。
【００５５】
また、上記実施形態においてガス処理システム１は、圧縮機４、調整部７及び流量調整弁８を備える構成としたが、これに限定されることはなく、備えていなくてもよい。
【００５６】
また、圧縮機４としては、気体を圧縮して圧力を高め、連続的に送り出すことができれば特に限定されることはない。例えば、圧縮機４としては、コンプレッサーやブロアなどが挙げられる。
【符号の説明】
【００５７】
１                ガス処理システム
２                脱炭酸設備（ガス発生部）
３                液化炭酸ガスプラント（ガス処理部）
４                圧縮機
５                ガス放出装置
５２              ガス流量計
６                空気混入防止装置
６４              ガス受け部
７                調整部
Ｒ                ガス流通経路
Ｒ１              流入上昇経路
Ｒ２              下降経路
Ｒ３              流出上昇経路
【図１】
2016185494.tif 000003
【図２】
2016185494.tif 000004